(57)【特許請求の範囲】
【請求項１】
音声信号を音声として外部に出力する音声駆動手段と、
回線接続後において送信側装置に送出される疑似リングバックトーン信号を生成するとともに該疑似リングバックトーン信号を格納する疑似リングバックトーン信号生成手段と、
前記音声駆動手段と疑似リングバックトーン信号生成手段とを制御するＣＰＵと
を備え、
前記ＣＰＵは、前記疑似リングバックトーン信号を前記送信側装置に送出するとともに、前記送信側装置から返信されるファクシミリの識別信号が所定時間以内に検出されない場合、前記疑似リングバックトーン信号を前記音声駆動手段を用いて外部に疑似ベル音として出力するように構成した通信端末装置。
【請求項２】
前記音声駆動手段は、前記音声メッセージを外部に出力するための再生手段を兼ねることを特徴とする請求項１に記載の通信端末装置。
【請求項３】
前記疑似ベル音は、前記疑似リングバックトーン信号を増幅して出力することを特徴とする請求項１又は請求項２に記載の通信端末装置。
【発明の詳細な説明】
【０００１】
【産業上の利用分野】
本発明は、例えば、留守録音機能付きファクシミリ装置等の通信端末装置に関する。
【０００２】
【従来の技術】
この種のファクシミリ装置は、発信側装置の発呼に基づく交換機からの呼出信号により動作されると、例えば、発信側からのＣＮＧ信号（ファクシミリ手順信号）が検出されるまでの間、疑似リングバックトーン信号を発信側へ送出する。そして、所定時間、ＣＮＧ信号が検出されなければ、発信側が電話機である可能性があるので、その旨を使用者に伝えるために疑似的な呼出音（以下、疑似ベル音とする）が鳴らされる。
【０００３】
【発明が解決しようとする課題】
ところが、この疑似ベル音を鳴らすために、疑似ベル信号生成回路や同信号を増幅するアンプ、そして同信号を音声として外部へ出力するためのスピーカ等からなる疑似ベル音鳴動回路を専用に設けなくてはならず、部品点数が増加されて構成が複雑となり、装置の大型化やコスト高につながっていた。
【０００４】
本発明は、上記従来技術に存在する問題点に着目してなされたものであって、その目的は、疑似ベル音を鳴動させるための構成を簡単にし、装置の小型化、低コスト化を図ることができる通信端末装置を提供することにある。
【０００５】
【課題を解決するための手段】
上記目的を達成するために、請求項１の発明では、音声信号を音声として外部に出力する音声駆動手段と、回線接続後において送信側装置に送出される疑似リングバックトーン信号を生成するとともに該疑似リングバックトーン信号を格納する疑似リングバックトーン信号生成手段と、前記音声駆動手段と疑似リングバックトーン信号生成手段とを制御するＣＰＵとを備え、前記ＣＰＵは、前記疑似リングバックトーン信号を前記送信側装置に送出するとともに、前記送信側装置から返信されるファクシミリの識別信号が所定時間以内に検出されない場合、前記疑似リングバックトーン信号を前記音声駆動手段を用いて外部に疑似ベル音として出力するように構成した通信端末装置である。
【０００６】
請求項２の発明では、請求項１の通信端末装置において、前記音声駆動手段は、前記音声メッセージを外部に出力するための再生手段を兼ねるものである。
【０００７】
請求項３の発明では、請求項１又は請求項２の通信端末装置において、前記疑似ベル音は、前記疑似リングバックトーン信号を増幅して出力するものである。
【０００８】
【作用】
上記構成の請求項１の発明においては、疑似リングバックトーン信号生成手段により生成された疑似リングバックトーン信号は、送信側装置に送出するとともに前記送信側装置から返信されるファクシミリの識別信号が所定時間以内に検出されない場合、疑似リングバックトーン信号が通信端末装置が有する音声駆動手段により疑似ベル音として外部に出力される。従って、疑似ベル音の鳴動構成として、例えば、アンプやスピーカ等を専用に設ける必要がなく、装置のコストダウンにつながる。
【００１０】
請求項２の発明においては、音声メッセージを外部に出力するための再生手段を音声駆動手段が兼ねる。従って、前記疑似ベル信号生成手段により生成された疑似ベル信号は、同再生手段により外部に疑似ベル音として出力される。このように、疑似ベル音鳴動構成として再生手段を用いることにより、本装置のコストダウンにつながる。
【００１１】
【実施例】
以下、本発明を留守録音機能付きファクシミリ装置に具体化した一実施例について説明する。
図１は本ファクシミリ装置の電気的構成を示すブロック図であり、同ファクシミリ装置は接続端子Ｓを介して電話回線Ｌに接続されている。図面において１は中央演算処理装置（ＣＰＵ）、２は装置の動作を制御するための制御プログラムを記憶した読み出し専用のメモリ（ＲＯＭ）、３は受信画データや送信画データ等の各種情報を一時的に記憶するＲＡＭをそれぞれ示している。
【００１２】
モデム４は、送受信データの変調・復調を行うとともに、相手先の電話番号に対応したプッシュトーン信号や、デジタル命令信号及び及びデジタル識別信号等の発生・検出を行う。トーン発生回路４αはモデム４内に設けられ、１１００Ｈｚの呼び出し音（ＣＮＧ）等を発生する。また、トーン検出回路４βは前記モデム４内に設けられ、送信側装置より送られてくるＣＮＧ信号等を検出する。ネットワークコントロールユニット（ＮＣＵ）５は、ＣＰＵ１の制御により本装置と電話回線Ｌとの接続を制御する。なお、図２に示すように、ＮＣＵ５は電話回線Ｌ側とモデム４側との間に介在されたトランス６を有している。リレースイッチ７は、同トランス６とモデム４との間に介在され、ＣＰＵ１の制御により、モデム４と電話回線Ｌ側との接続及びその開放を行う。
【００１３】
図１においては８は読取部、９は記録部をそれぞれ示している。この読取部８により読み取られた原稿上の画像は、画データとして取り込まれ、電話回線Ｌを介して送信される。また、電話回線Ｌを介して受信された画データは、記録部９にて記録紙上に印字される。なお、図面において１０はタイマである。
【００１４】
そして、本実施例のファクシミリ装置はファクシミリ機能に付随した機能として、通話機能及び留守録音機能を有している。すなわち、音声信号をデジタル処理するデジタルシグナルプロセッサ（ＤＳＰ）１１は、音声を符号化した状態で記憶するＲＡＭ１１α、及び音声データを符号化・復号化するための符号・復号化回路１１βを有している。前記ＲＡＭ１１α内には、図示しないが応答メッセージを格納する領域と、疑似リングバックトーン信号を格納する領域が確保されている。本実施例においては、前記ＲＡＭ１１αが疑似ベル信号生成手段及び疑似リングバックトーン信号生成手段をなしている。
【００１５】
キー入力部１２は、留守録モードを設定するための留守キー１２α、及びＲＡＭ１１α内に記憶された音声メッセージを再生するための再生キー１２β等を有している。図面において１３はスピーカ、１４はアンプ等を有する音声回路１４をそれぞれ示している。音声回路１４はＣＰＵ１の制御により、ＤＳＰ１１から送られてくる音声メッセージ信号や送信側装置に送られる疑似リングバックトーン信号を増幅して、スピーカ１３を介して外部に出力する。本実施例においては、前記音声回路１４及びスピーカ１３により、音声駆動手段としての再生手段が構成されている。なお、図１において１５は、通話に用いられるハンドセットを示す。また、１６はフィルタを示し、電話回線Ｌから送られてくる信号のうち、不要周波数の信号（ノイズ）をカットする。
【００１６】
さて、ＣＰＵ１は、電話回線Ｌの接続後、ＤＳＰ１１を制御してＲＡＭ１１α内に記憶された疑似リングバックトーン信号を送信側装置に向けて送出させる。また、ＣＰＵ１は、疑似リングバックトーン信号の送出開始から所定時間が経過したにもかかわらず、送信側装置からのＣＮＧ信号が検出されない場合には、音声回路１４を制御して疑似リングバックトーン信号を増幅させ、スピーカ１３を介して疑似ベル音として外部に出力させる。
【００１７】
また、ＣＰＵ１は、留守キー１２αにより留守録モードが設定されると、発信側装置が電話機の場合にはＤＳＰ１１を作動させて、留守の旨を伝える応答メッセージを送信するとともに、発信側装置から送信されてくる伝言的な音声メッセージをＲＡＭ１１α内に記憶させる。そして、ＣＰＵ１は、再生キー１２βが操作されると、記憶された音声メッセージ信号を、音声回路１４及びスピーカ１３を介して音声として外部に出力させる。
【００１８】
次に、上記構成の留守録機能付きファクシミリ装置の作用について図３のフローチャートに従って説明する。なお、留守録音機能は留守録モードにセットされているものとする。
【００１９】
さて、送信側装置の発呼に基づく変換機からの呼出信号が検出されると、ＮＣＵ５により回線接続した後、ＲＡＭ１１α内に記憶された疑似リングバックトーン信号の送信側装置への送出が開始される（ステップ１：以下、Ｓ１とする）。ここで、送信側装置からのＣＮＧ信号が検出された場合には（Ｓ２）、ファクシミリ受信動作に移行され、画データの受信及び記録部９にての同受信画データの記録紙上への印字が行われる（Ｓ３）。
【００２０】
しかし、ＣＮＧ信号が検出されないまま所定時間が経過されると（Ｓ４）、発信側は電話機である可能性があり、使用者に対してその旨を伝えるために疑似ベルの鳴動が開始される（Ｓ５）。つまり、疑似リングバックトーン信号は、相手側装置に対して送出されるのみならず、音声回路１４において増幅され、スピーカ１３から疑似ベル音として外部に出力される。
【００２１】
そして、ＣＮＧ信号が検出されるか（Ｓ６）、或いはハンドセット１５がオフフックされた場合には（Ｓ７）、ファクシミリ受信動作（Ｓ３）或いは通話（Ｓ８）に移行される。
【００２２】
しかし、ＣＮＧ信号が検出されず（Ｓ６）、しかも、ハンドセット１５がオフフックされないままに（Ｓ７）疑似ベル音が所定時間鳴動された場合には（Ｓ９）、留守録音機能が作動される（Ｓ１０）。つまり、ＤＳＰ１１により、予めＲＡＭ１１α内に記憶された応答メッセージが送信側装置に送信されるともに、送信側より送られてくる音声メッセージがＲＡＭ１１α内に記憶される。
【００２３】
なお、疑似リングバックトーン信号の送出は、送信側装置からのＣＮＧ信号が検出されるか（Ｓ２、Ｓ６）、ハンドセットがオフフックされるか（Ｓ７）、或いは、留守録音機能が作動された場合おいて（Ｓ１０）停止される。つまり、疑似ベルが鳴動されていれば、それも停止される。
【００２４】
また、前記ＲＡＭ１１αに記憶された音声メッセージ信号は、再生キー１２βを操作することにより、音声回路１４を介してスピーカ１３により外部に音声として出力される。この音声メッセージの再生時においては、リレースイッチ７が開放動作されて、電話回線Ｌとモデム４との接続が遮断され、音声メッセージ信号の電話回線Ｌ側への送出が防止される。
【００２５】
以上のように本実施例においては、留守録音手段が有する音声メッセージ再生装置（１３、１４）を用いて、疑似ベルを鳴動させるようになっている。従って、疑似ベルを鳴動させるアンプやスピーカ等を専用に設ける必要がなく、部品点数を抑えて構成を簡単にでき、装置の小型化や低コスト化に貢献できる。
【００２６】
また、ＲＡＭ１１α内に記憶された疑似リングバックトーン信号が、疑似ベル信号とされる。つまり、疑似リングバックトーン信号生成手段が疑似ベル信号生成手段を兼ねている。従って、専用の疑似ベル信号生成手段を必要とせず、さらなる装置の小型化、低コスト化に繋がる。
【００２７】
さらに、本実施例においては、疑似リングバックトーン信号は音声データとしてＲＡＭ１１αに記憶されており、しかも、留守録音機能には図示しないが、通常、音量調節機能が付随されている。従って、疑似ベル音の鳴動周期は、ＤＳＰ１１における疑似リングバックトーン信号の加工により簡単に調節できるし、音量に関しても前述した付随機能を用いれば簡単に調節できる。
【００２８】
なお、本発明の趣旨から逸脱しない範囲で、以下の態様でも実施できる。
（１）モデム４に設けられたトーン発生回路４αにより、疑似リングバックトーン信号を発生させるようにすること。
（２）上記実施例においては留守録機能を有していたが、これを変更し、電話回線Ｌ上の信号のモニタ機能を有するものに具体化すること。つまり、このモニタ機能のアンプ及びスピーカ等を用いて疑似ベル音を鳴らすこと。この場合、疑似ベル信号生成手段は前記（１）で述べたトーン発生回路４αを用いると良い。
（３）上記実施例の留守録音機能は、音声をＲＡＭ１１αにデジタル信号として記憶させるタイプのものであったが、音声信号をカセットテープ等にアナログ信号として記憶させるタイプのもに具体化しても良い。この場合、疑似ベル信号生成手段は前記（１）で述べたトーン発生回路４αを用い、音声回路１４及びスピーカ１３の音声駆動回路のみを利用する。
（４）留守録機能付きファクシミリ装置以外に、パソコン通信用の端末機に留守録音機能付き或いは回線モニタ機能付きの電話機が並設されたもの（電話回線を共用するもの）に具体化すること。
【００２９】
上記実施例から把握できる請求項以外の技術思想について記載すると、前記留守録手段が有する音声信号を格納するメモリ１１α内に、疑似リングバックトーン信号を予め格納しておくことにより、同メモリ１１αを疑似リングバックトーン信号生成手段及び疑似ベル信号生成手段とした通信端末装置。
【００３０】
このようにすれば、疑似ベル及び疑似リングバックトーン信号を生成するための構成が簡単となるし、疑似ベル音の鳴動周期等も容易に調節できる。
【００３１】
【発明の効果】
上記構成の請求項１の発明によれば、疑似ベル音の鳴動構成を簡単にして、装置の小型化、低コスト化を図り得る。また、さらに疑似ベル音の鳴動構成を簡単にすることができる。
【図面の簡単な説明】
【図１】  本実施例のファクシミリ装置の電気的構成を示すブロック図。
【図２】  ＮＣＵにおいてトランス部分を示す回路図。
【図３】  本装置の動作を示すフローチャート。
【符号の説明】
１１…留守録音手段としてのＤＳＰ、１１α…疑似ベル信号生成手段及び疑似リングバックトーン信号生成手段としてのＲＡＭ、１３…音声駆動手段としての再生手段を構成するスピーカ、１４…音声駆動手段としての再生手段を構成する音声回路。
【図１】
0003651052.tif 000002
【図２】
0003651052.tif 000003
【図３】
0003651052.tif 000004